(57)【特許請求の範囲】
【請求項１】
固定部材と、少なくとも光学素子または光学要素が装着される可動部材と、この可動部材を上記の固定部材に対して変位可能に支持する支持機構とを備えた光学系の可動部を支持する装置であって、
上記の支持機構は、板材を所定の形状に形成したバネを備えており、このバネには変形することによって上記の可動部材を移動または回転自在に支持するバネ部と、このバネ部の一端部と連続して形成された可動側取付部と、上記のバネ部の他端部に連続して形成された板状の固定側補強部とを備えており、上記の固定側補強部は上記の固定部材に一体的にモールドされて取付られ、またこの固定側補強部は上記の固定部材の略中心面内に埋設されて配置されていることを特徴とする光学系可動部の支持装置。
【請求項２】
前記の固定側補強部の縁部の少なくとも一部は前記の固定部材の側面から突出しており、この突出した縁部はこの固定部材を射出成型する金型の衝合面の間に挟圧されるものであることを特徴とする請求項１の光学系可動部の支持装置。
【請求項３】
前記の固定部材の側面には、前記の固定側補強部の突出した縁部を跨いで配置されこの固定側補強部の両側の固定部材の部分を一体的に連結する連結リブ部が突設されていることを特徴とする請求項２の光学系可動部の支持装置。
【請求項４】
固定部材と、少なくとも光学素子または光学要素が装着される可動部材と、この可動部材を上記の固定部材に対して変位可能に支持する支持機構とを備えた光学系の可動部を支持する装置であって、
上記の支持機構は、板材を所定の形状に形成したバネを備えており、このバネには変形することによって上記の可動部材を移動または回転自在に支持するバネ部と、このバネ部の一端部と連続して形成された可動側補強部と、上記のバネ部の他端部に連続して形成された板状の固定側部とを備えており、上記の可動側補強部は上記の可動部材に一体的にモールドされて取付られ、またこの可動側補強部は上記の可動部材の略中心面内に埋設されて配置されていることを特徴とする光学系可動部の支持装置。
【発明の詳細な説明】
【０００１】
【発明の属する技術分野】
本発明は、光学装置、たとえば光磁気ディスクドライブ、追記形ディスクドライブ、相変化形ディスクドライブ、ＣＤ−ＲＯＭ、ＤＶＤ、光カード等の光記録媒体等に対して情報を記録および／または再生する情報記録再生装置や、光スキャナー等の光学装置に使用する対物レンズやガルバノミラーのミラーを移動または回転自在に支持する光学系可動部の支持装置に関する。
【０００２】
【従来の技術】
上記のような各種の光学装置には、内部に可動部分を有する光学素子や、または移動自在に支持された光学素子が使用されている。たとえばガルバノミラー等の光学素子では、内部のミラー等の光学要素が回転自在に支持されており、またフォーカス制御をなす対物レンズ等の光学素子は所定の方向に移動自在に支持されている。
【０００３】
小形の光学要素または光学素子を移動自在に支持する装置としては、バネによる支持装置が多く使用されている。このような支持装置は、可動部分をバネにより支持し、このバネの変形によりこの可動部分を所定の軸まわりに回転自在または所定の方向に移動自在に支持するものである。このような支持装置の例としては、特開平７−９３７８３号に開示されているものがある。
【０００４】
図１７および図１８には、このような従来の支持装置たとえばガルバノミラーのミラー支持装置の概略的な構成を示す。図中の２０１は固定側の固定部材であり、たとえば合成樹脂材料等の射出成型により形成されており、全体として矩形のブロック状をなしている。そして、この固定部材２０１の上面の中央部には、凹部２０３が形成され、この凹部２０３の部分には可動部材２０２がたとえば回転および移動自在に支持されている。そして、この可動部材２０２に図示しないミラー等が取付られる。
【０００５】
この支持装置には、上記の可動部材２０２を支持するためのバネ２０４が設けられている。このバネ２０４は、バネ材料からなる薄板材から一体に形成されたもので、枠状の固定側取付部２０５と可動側取付部２０６とを備え、この可動側取付部２０６はたとえば細幅の直線状のバネ部２０７により一体に連結されている。そして、上記の固定側取付部２０５は、たとえば螺子２０８等により固定部材２０１の上面に取付られ、また可動側取付部２０６には接着等により上記の可動部材２０２が取付られる。
【０００６】
上記の可動部材２０２は、上記のバネ部２０７がねじれ変形することにより、回転自在に支持されている。また、このバネ部２０７が曲げ変形することにより、この可動部材２０２は上下方向に移動可能に支持される。
【０００７】
ところで、上記に例示した従来の支持装置には以下のような不具合があった。すなわち、上記のバネ２０４は、全体が小形のものであるとともに、そのバネ部２０７も可能な限り小さいバネ定数で変形することが好ましく、このため薄板材で形成される。したがって、このバネ２０４の固定側取付部２０５等は容易に変形が可能であり、取付螺子の締め付け等の外力、または温度変化による固定部材２０１の熱変形等により容易に変形し、このような変形がバネ部２０７のバネ定数等に影響を与え、可動部材２０２の支持精度や支持特性に悪影響が生じる。
【０００８】
特に、一般的に上記の固定部材２０１は合成樹脂材料で形成され、熱膨張率が比較大きく、またバネ２０４はたとえばベリリウム銅合金等の金属材料で形成され、その熱膨張率が比較的小さい。したがって、両者の熱膨張率の差により、この薄板材からなる固定側取付部２０５等が変形しやすく、上記のようにこのガルバノミラーの精度が低下する。
【０００９】
また、前述のように固定部材２０１は合成樹脂材料で形成されており、この合成樹脂材料は一般に弾性係数が小さい。このため、取付の際の螺子の締め付け等の外力により、この固定部材２０１が変形しやすく、この変形が上記のようなバネ２０４の支持精度や支持特性に悪影響を与える。したがって、この固定部材２０１の不所望な変形を防止するには、この固定部材の各部の寸法を大形化し、各部の剛性を高くする必要があるが、このようにすると、このガルバノミラー等の光学素子が大形化するという不具合を生じる。
【００１０】
【発明が解決しようとする課題】
本発明は以上の事情に基づいてなされたもので、薄板材からなるバネにより可動部材を支持する装置において、このバネや固定部材等の変形を防止して支持精度や支持特性を向上させ、またより小形化することができる光学系の可動部の支持装置を提供するものである。
【００１１】
【課題を解決するための手段】
請求項１に記載の本発明は、固定部材と、少なくとも光学素子または光学要素が装着される可動部材と、この可動部材を上記の固定部材に対して変位可能に支持する支持機構とを備えた光学系の可動部を支持する装置であって、上記の支持機構は、板材を所定の形状に形成したバネを備えており、このバネには変形することによって上記の可動部材を移動または回転自在に支持するバネ部と、このバネ部の一端部と連続して形成された可動側取付部と、上記のバネ部の他端部に連続して形成された板状の固定側補強部とを備えており、上記の固定側補強部は上記の固定部材に一体的にモールドされて取付られ、またこの固定側補強部は上記の固定部材の略中心面内に埋設されて配置されている。
請求項４に記載の本発明は、固定部材と、少なくとも光学素子または光学要素が装着される可動部材と、この可動部材を上記の固定部材に対して変位可能に支持する支持機構とを備えた光学系の可動部を支持する装置であって、上記の支持機構は、板材を所定の形状に形成したバネを備えており、このバネには変形することによって上記の可動部材を移動または回転自在に支持するバネ部と、このバネ部の一端部と連続して形成された可動側補強部と、上記のバネ部の他端部に連続して形成された板状の固定側部とを備えており、上記の可動側補強部は上記の可動部材に一体的にモールドされて取付られ、またこの可動側補強部は上記の可動部材の略中心面内に埋設されて配置されている。
【００１２】
したがって、この一体化された固定側補強部または可動側補強部は、この固定部材または可動部材の補強をなし、その剛性を高め、不所望な変形を防止する。よって、このような不所望な変形によるバネの支持精度や支持特性の低下を防止することができ、またこの固定部材または可動部材を小形化することができる。
【００１３】
また、この板状の固定側補強部または可動側補強部は、固定部材または可動部材の略中心面に沿って配置されているので、この固定部材または可動部材が対称の構造となる。よって、この固定側補強部と固定部材または可動側補強部と可動部材がたとえば金属と合成樹脂等、熱膨張率や弾性率等の特性の相違する材料で形成されている場合であっても、この固定部材または可動部が温度変化や外力で変形する場合に、その変形が中心面の固定側補強部または可動側補強部を中心とした対称な変形となり、かつこの中心面すなわち変形の中心に固定側補強部材または可動側補強部材が配置されているので、この固定側補強部材または可動側補強部材の変形が小さくなり、バネの支持精度や支持特性を向上させることができる。また、固定部材または可動部材が合成樹脂材料で形成されている場合に、この樹脂材料の射出成型の際にその中心面に固定側補強部または可動側補強部が配置されているので、射出成型後の収縮等による変形も対称となり、上記のように精度を向上させることができる。
【００２１】
また、請求項２に記載の本発明は、固定部材が合成樹脂材料で形成されているものにおいて、前記の固定側補強部の縁部の少なくとも一部は前記の固定部材の側面から突出しており、この突出した縁部はこの固定部材を射出成型する金型の衝合面の間に挟圧されるものである。したがって、合成樹脂材料が金型内に射出される際に、この金型内の固定側補強部がずれることがなく、この固定側補強部の位置精度が向上する。
【００２２】
また、請求項３に記載の本発明は、固定部材が合成樹脂材料で形成されているものにおいて、前記の固定部材の側面には、前記の固定側補強部の突出した縁部を跨いで配置されこの固定側補強部の両側の固定部材の部分を一体的に連結する連結リブ部が突設されているものである。したがって、この固定側補強部に透孔を形成することなくこの固定側補強部の両側の固定部材の部分を連結することができ、この固定側補強部の剛性や強度が低下することがない。
【００２３】
【発明の実施の形態】
以下、図１ないし図１２を参照して本発明の第１の実施形態を説明する。この実施形態のものは、光磁気ディスクを記録媒体とする情報記録再生装置の光ピックアップ装置に使用されるガルバノミラーのミラーを含む可動部を支持する装置に本発明を適用した場合のものである。
【００２４】
まず、図１を参照してこの光ピックアップ装置の光学素子の概略的な配置を説明する。図中の１は光磁気ディスクであって、この光磁気デイスク１の記録面に沿ってアーム状のキヤリッジ２が設けられている。このキヤリッジ１内には、後述する光学系が設けられ、この光学系により光磁気ディスク１の記録面上に光スポットＰを結び、情報の書き込みおよび読み出しを行う。
【００２５】
上記のキヤリッジ２は、回転軸３を中心として図示しない駆動機構により回動され、その先端部を機械的に移動させて粗アクセスを行う。また、上記の光学系には、後述するガルバノミラー２０が設けられ、上記の光スポットＰを光学的に移動させて微トラッキングを行う。
【００２６】
上記のキヤリッジ２は、具体的な構造は図示していないが、たとえばマグネシウム合金のダイキャストまたはプラスチックのモールド成型により形成したもので、その内部に上述の光学系が内蔵されている。なお、このキヤリッジ２は、上記のようなマグネシウム合金のダイキャスト以外にも、アルミニウム合金のダイキャスト、ポリフェニレンスルフィド（ＰＰＳ）、液晶プラスチック（ＬＣＰ）、ポリエーテルイミド（ＰＥＩ）等のプラスチックの成形でもよい。
【００２７】
この光学系は、光源であるレーザダイオード１１を備え、ここから出射した光はビームスプリッタ１２の表面で一部の光が反射され、この反射光はコリメートレンズ１３に入射して平行光となる。そして、この平行光はリレーレンズ１４で集光される。また、この光学系には、後述するガルバノミラー２０が設けられ、上記のリレーレンズ１４で集光された光はその焦点位置の少し手前でこのガルバノミラー２０のミラー２１で反射され、コンバージョンレンズ１５により再び平行光とされる。この平行光は上記のキヤリッジ２のアーム部分内をその長手方向に沿って進み、このアーム部分の先端部に設けられた固定ミラー１６で反射される。この反射光は対物レンズ１７に入射し、前述の光磁気ディスク１の記録面上に前記の光スポットＰを結ぶ。
【００２８】
また、光磁気デイスク１の記録面からの反射の戻り光の一部は、前記のビームスプリッタ１２を透過し、フォトディテクター１８に入射する。そして、このフォトディテクター１８からの出力により、情報再生信号、フオーカシングエラー信号、トラッキングエラー信号等の信号が得られる。そして、たとえば上記のフオーカシングエラー信号、トラッキングエラー信号等は、この光ピックアップ装置の制御回路（図示せず）に送られ、この制御回路からの制御信号により上記のガルバノミラー２０のミラー２１がそのミラー回転軸まわりに回転し、これにより前記の光スポットＰの位置を光学的にトラッキング方向に移動させて前述の微トラッキングを行う。また、この制御回路からの制御信号により、上記のリレーレンズ１４が図示しない駆動機構によりその光軸方向に駆動され、前記の光磁気ディスク１上の光スポットＰの焦点制御を行う。
【００２９】
なお、この実施形態のものは、上記のレーザダイオード１１から上記の固定ミラー１６、およびフォトディテクター１８に至る光路は、いずれも上記のキヤリッジ２の回転面と平行な面内に配置されている。
【００３０】
次に、この実施形態の光ピックアップ装置に使用される上記のガルバノミラー２０の構成について説明する。図２はこの実施形態のガルバノミラーを前方側から見た斜視図、図３は後方側から見た斜視図、図４は分解斜視図である。
【００３１】
図中の２２はベース部材であって、このベース部材２２はたとえば鋼板材をプレス成型して形成され、全体の形状は略有底円筒状をなしている。このベース部材２２の底壁部２３の中央部には孔が形成されてリング状をなしており、この底壁部２３の下面は球面状に形成されてこのガルバノミラーを取付け調整するための支承面２４に形成されている。この支承面２４の球面の中心は、図１１に示すように、上記のミラー２１の反射面上の入射光の光軸の位置Ｏと一致している。また、このベース部材２２の周壁のうち、前記のミラー２１の前面側は切り欠かれており、光が通過するための光路開口２５が形成されている。
【００３２】
上記のようなガルバノミラー２０は、図１１および図１２に示すように、上記のキヤリッジ２に形成されたガルバノミラー収容部２８内に収容される。このガルバノミラー収容部２８は、上記のようなガルバノミラー２０の外形と略対応した形状、すなわち円形の凹部である。また、このガルバノミラー収容部２８は、このキヤリッジ２内の光路が配置される平面と垂直な方向、たとえば上方に向けて開口されている。このガルバノミラー収容部２８の開口方向は、このキヤリッジ２をダイカスト成型する際の金型の抜き方向でもある。
【００３３】
そして、このガルバノミラー収容部２８の底部には、リング状の支承座面２９が形成されている。この支承座面２９は、このキヤリッジ２をダイカストにより成型する際に、一体的に形成されたもので、円錐面状をなしている。そして、このガルバノミラー収容部２８内に挿入されたガルバノミラー２０は、その底部の支承面２４がこの支承座面２９に当接した状態で傾き等が調整され、所定の傾き位置に固定されている。
【００３４】
上記のガルバノミラー２０の支承面２４の中心軸線Ｓ、および上記の支承座面２９の中心軸線Ｓ´は、いずれも上記のミラー２１の回転中心軸線であるミラー回転軸Ｒと平行に配置されている。また、これらの支承面２４と支承座面２９の中心軸線Ｓ，Ｓ´は、上記のミラー２１の反射面内に含まれ、またこの反射面上の入射光の光軸の位置を通過するように配置されている。
【００３５】
そして、このベース部材２２内には、バネアセンブリ３０が収容されている。このバネアセンブリ３０は、合成樹脂材料で形成され片持梁状をなした固定側の部材である固定部材３１と、この固定部材３１の前面側に回動自在に支持された合成樹脂材料からなる可動側の部材である可動部材３２とから構成されている。この可動部材３２は、上記の固定部材３１に対して、後に詳述するバネ３３，３４により図２に示すようなＹ軸と平行なミラー回転軸線Ｒまわりに回転自在に支承されている。
【００３６】
また、この可動部材３２の前面には、ミラー２１が取付けられており、またこのミラー２１の周囲を囲んで略四角形の可動コイル３７が取付けられており、これら可動部材３２、ミラー２１および可動コイル３７等により可動部が形成されている。なお、このミラー２１に入射する入射光および反射した反射光の光路は、前記の図２のＸ軸およびＺ軸を含む平面内に配置されている。上記のミラー回転軸Ｒは、上記のようにＹ軸と平行で、かつこれら可動部材３２、ミラー２１および可動コイル３７等からなる可動部全体の重心点を通過しており、このミラー回転軸Ｒはこの可動部の慣性主軸と一致している。
【００３７】
なお、上記の可動部材３２の前面には、左右一対、上下一対の合計４個の位置決突部３５，３６が一体に突設されている。そして、上記のミラー２１の左右側面および上下面は、これらの位置決突部３５，３６の内側面に嵌合し、このミラー２１がこの可動部材３２の前面に所定位置に位置決めされている。また、前記の可動コイル３７は、その左右、上下の内周面が上記の位置決突部３５，３６の外側面に嵌合し、この可動コイル３７が所定位置に位置決めされている。よって、上記のミラー２１の外周と可動コイル３７の内周との間には、上記の各位置決突部３５，３６が介在しており、これらの間に所定の隙間が形成されている。
【００３８】
そして、上記の可動部材３２、ミラー２１、可動コイル３７は、上記の隙間内に充填された接着材により互いに一体的に接着されている。したがって、これらの部品からなる可動部は、全体の形状が四角形のブロック状となり、かつ接着材で互いに一体的に接合されているので、この可動部自身の固有振動数が極めて高くなり、この可動部が回動する際の共振が確実に防止される。
【００３９】
なお、上記の固定部材３１、可動部材３２はガラス繊維で強化された非導電性の合成樹脂材料、たとえば液晶プラスチック（ＬＣＰ）、ポリフェニレンスルフィド（ＰＰＳ）、ポリエーテルイミド（ＰＥＩ）、ポリカーボネート（ＰＣ）等で形成されている。また、上記のミラー２１は平面状のガラス基板の前面に反射率の高い反射膜を形成したものである。また、上記の可動コイル３７は直径０．０５ｍｍの導線を４層に巻回したもので、その上下部からはそれぞれリード線３８が導出されている。なお、この可動コイル３７への給電構造については後に説明する。
【００４０】
また、上記のバネアセンブリ３０の平面形状は、前述のごとく略四角形をなしており、このバネアセンブリ３０が円筒状のベース部材２２内に挿入されることにより、このバネアセンブリ３０の両側に空間が形成される。なお、このバネアセンブリ３０の固定部材３１の背面には、図３に示すように嵌合突部４６が形成されている。また、上記のベース部材２２の周壁部の背面側の上縁部には、上記の嵌合突部４６に対応して嵌合凹部４７が形成されている。そして、上記の嵌合突部４６がこの嵌合凹部４７内に嵌合することにより、このバネアセンブリ３０が位置決めされてこのベース部材２２内に嵌合される。
【００４１】
また、このバネアセンブリ３０の両側の空間内には、略四角形ブロック状の固定側の永久磁石３９が異極を対向させてそれぞれ収容されている。なお、このベース部材３２の周壁のうちこれら永久磁石３９が収容される部分は平面状の平面部２６に形成され、これら永久磁石３９を安定して収容するように構成されている。
【００４２】
なお、上記のベース部材２２の平面形状は略円形であり、また上記のバネアセンブリ３０および永久磁石３９の平面形状は四角形である。したがって、これらが上記のようにこのベース部材２２内に嵌合して収容されることにより、これら永久磁石３９の後側には隙間がそれぞれ形成される。これらの隙間は、後述するように、このガルバノミラー２０を調整して取付ける際の取付工具の位置決ピンが挿入される隙間として使用される。
【００４３】
次に、上記のバネアセンブリ３０および可動部材３２を支持する装置の構成について説明する。図５には、このバネアセンブリ３０の斜視図を示す。前記の固定部材３１は、ビーム状の梁部４１と、この梁部４１の上下両端部から前方に突出したアーム部４２，４３とを有している。また、上記の可動部材３２の上下両端部には、それぞれバネ取付部４４が一体に突設されている。そして、上記のアーム部４２，４３とバネ取付部４４との間は前述のバネ３３，３４により前記のミラー回転軸Ｒまわりに回転自在に連結されている。そして、これらのバネ３３，３４、固定部材３１、可動部材３２の連結構造は以下のように構成されている。
【００４４】
図６には、これらのバネ３３，３４の形状、および固定部材３１、可動部材３２との配置関係を示し、また図７にはこれらのバネ３３，３４を固定部材３１や可動部材３２に組み込む前の打抜きブランク材の状態を示す。これらのバネ３３，３４は、上記の可動部材３２を回転自在に支持するための部材と、上記の固定部材３１等の補強をなす補強部材と、前記の可動コイル３７に給電をなす導電部材とを兼用している。
【００４５】
これらのバネ３３，３４は、たとえばベリリウム銅合金の厚さ０．０３ｍｍの薄板材をエッチング等に所定の形状に加工したもので、その表面には耐蝕性および半田付け性を向上させるために０．２ミクロン程度の厚さの金メッキが施されている。そして、これらのバネ３３，３４は、たとえばＳ字状に屈曲したＳ字状バネ部５１と、このＳ字状バネ部５１の一端部に連続して形成され可動部材３２との取付部とを兼用する端子部５２と、このＳ字状バネ部５１の他端部に連続して形成された
導電補強部（固定側補強部）５４，５５と、これらの導電補強部５４，５５の先端部に形成された端子部５６とを有している。上記の端子部５２の先端部には、前述した可動コイル３７のリード線３８が係合されるＶ字状の係合切欠５３がそれぞれ形成されている。なお、下側のバネ３４の導電補強部５５は、略Ｌ字状に形成されている。
【００４６】
そして、上記のバネ３３，３４は、図２および図５のＹ−Ｚ面と平行に配置され、その端子部５２および導電補強部５４，５５は、これらの固定部材３１および可動部材３２内の中心面かつ対称面に一体的に埋設されている。上記の導電補強部５４，５５は金属板材であり、その面方向における曲げや剪断変形については高い剛性を有している。したがって、これらが固定部材３１の梁部４１やアーム部４２，４３内に一体的に埋設されていることにより、これらの部分の剛性を高め、荷重による変形、この固定部材３１を射出成型した場合の変形や、温度変化に伴う熱膨張による変形等を防止し、バネアセンブリ３０の精度を高める。また、これら端子部５２や導電補強部５４，５５等はこれら固定部材３１や可動部材３２の中心面内に埋設されているので、バネアセンブリ３０は中心面に対して左右対称の構造となり、不規則な変形をより効果的に防止し、精度をより高くする。
【００４７】
上方のバネ３３は、その端子部５２が可動部材３２の上側のバネ取付部４４内に一体的に埋設されており、またこの端子部５２の先端部はこのバネ取付部４４の先端面から突出している。そして、この先端部の係合切欠５３に可動コイル３７の一方のリード線３８の先端部が係合し、さらに半田付けにより接合されている。また、このバネ３３の導電補強部５４は、固定部材３１の上側のアーム部４２内に一体的に埋設されている。そして、この導電補強部５４の先端の端子部５６は、図３に示すように固定部材３１の背面に突出している。そして、この図３および図１１に示すように、この端子部５４にはプリント配線板６０の端子部が半田付けされている。したがって、このプリント配線板６０、バネ３３の導電補強部５４、Ｓ字状バネ部５１、端子部５２、リード線３８を介してこの可動コイル３７に給電がなされる。
【００４８】
また、下方のバネ３４は、上記と同様にその端子部５２が可動部材３２の下側のバネ取付部４４内に埋設され、また係合切欠５３には可動コイル３７の他方のリード線３８が係合して半田付けされている。また、このバネ３４のＬ字状の導電補強部５５は、固定部材３１の下側のアーム部４３および梁部４１内に連続して一体に埋設されている。そして、この導電補強部５５の先端の端子部５６は固定部材３１の背面部に突出し、前記と同様にプリント配線板６０の他方の端子部に半田付けされており、前記と同様にこれらの部材を介して可動コイル３７に給電がなされる。
【００４９】
このようなバネアセンブリ３０は以下のようにして組み立てられる。まず、前述したようなベリリウム銅合金等の薄板材をエッチング加工して図７に示すようなバネのブランク材６０を製造する。このブランク材６０は、枠状のフレーム部６１を有しており、このフレーム部６１内に前記のようなバネ３３，３４が所定の配置関係で一体に形成されている。なお、これらバネ３３，３４とフレーム部６１とは組み立て後に切断する切断予定線Ｃの部分で連続している。また、このフレーム部６１のたとえば４隅には、位置決めのための位置決孔６３がそれぞれ形成されている。
【００５０】
そして、このようなブランク材６０を一対の金型（図示せず）の間に挟んでこれらの金型を衝合し、この金型のキャビテイ内に樹脂材料を射出して前述の固定部材３１および可動部材３２を形成し、これと同時に上記のバネ３３，３４の部分をこれらの固定部材３１や可動部材３２の金型衝合面である中心面に一体的に埋設する。
【００５１】
なお、この樹脂材料と上記のバネ３３，３４の表面との間の接着力は非常に小さいので、これら埋設されたバネ３３，３４が一体化されず、かつこれらの部分で固定部材３１および可動部材３２が左右に割れてしまうことがある。これを防止するために、これらバネ３３，３４の適宜箇所には透孔６２が形成されており、たとえば図８に示すようにこれらの透孔６２内に射出された樹脂が充填され、これら固定部材３１や可動部材３２の左右の部分を連結するとともに、これらバネ３３，３４を一体化している。
【００５２】
また、上記の金型のキャビテイ内に樹脂材料を射出する際に、その射出圧力によりバネ３３，３４の各部がキャビテイ内で変形し、これらバネ３３，３４の各部が中心からずれたり、変形したりすることがある。このような不具合を防止するために、上記のバネ３３，３４の適宜の部分、たとえば端子部５２の先端部、導電補強部５４，５５の縁部、端子部５６等を金型の間で挟圧し、これらの部分がキヤビテイ内で移動、変形するのを防止するように構成されている。したがって、上記の金型の間に挟圧された部分は、図８および図９に示すように上記の固定部材３１、可動部材３２の表面から突出している。
【００５３】
また、固定部材３１には図６の紙面両側方向に孔９０が形成されており、これらの孔９０の部分のバネ３３，３４を金型の間に挟圧できるように構成されている。また、固定部材３１には図６の紙面裏側方向にのみ孔９１が形成されバネ３４を一方の金型にてサポートするように構成され、これらバネ３３，３４の固定部材３１内に埋設された部分の移動、変形を防止している。
【００５４】
なお、上記の導電補強部５５は、固定部材３１の梁部４１のほぼ全長に亘って埋設され、かつその縁部がこの梁部４１のほぼ全長にわたって突出している。したがって、この導電補強部５５の埋設部分では、この梁部４１が左右に分割され、強度、剛性が低下する。このような不具合を防止するには、この導電補強部５５に前述したような透孔を形成してこの透孔内に充填された樹脂材料でこの梁部の左右の部分を連結すればよいが、このような透孔を形成すると、この導電補強部５５の強度、剛性が低下する。このため、この梁部４１の中央部には、これを横断する方向に連結リブ部６４が一体に突設されている。この連結リブ部６４は、導電補強部５５の突出した縁部を跨いでこの梁部４１の左右の部分を連結している。したがって、この導電補強部５５に透孔を形成することなくこの梁部４１の左右を連結することができる。
【００５５】
なお、この連結リブ部６４は、上記の可動部材３２の背面に対向しており、この可動部材３２の最大回動角度を規制するストッパを兼用している。
【００５６】
そして、上述のようにしてこれらバネ３３，３４を固定部材３１や可動部材３２内に一体に埋設した後に、上述したような切断予定線Ｃの部分を切断し、フレーム部６１からこれらバネ３３，３４を分離し、このバネアセンブリ３０を完成する。
【００５７】
次に、上記のＳ字状バネ部５１について説明する。これらのＳ字状バネ部５１は、前述のように図２および図５のＹ−Ｚ面と平行に配置されており、可動部材３２を図２および図５のＹ軸と平行なミラー回転軸Ｒまわりに回転自在に支承し、かつこれ以外の他の方向については可動部材３２の移動を可能なかぎり防止する支持部材として作用するものである。
【００５８】
図１０は、このＳ字状バネ部５１を拡大して示したもので、一対の略半円形の湾曲部５１ａと、これらの一端部の端部５１ｂと、これらの湾曲部５１ａの他端部を互いに連結する略直線状の直線部５１ｃとが一体に形成されているものである。そして、上記の端部５１ｂは、前述のように固定部材３１側、および可動部材３２側に固定されている。
【００５９】
このＳ字状バネ部５１は、上記のような支持部材としての作用を達成するために、以下のような薄板の変形の特性を利用している。一般に、薄板材は、その板厚に対して面方向の寸法が大であるため、その面方向と直交する方向の単純な曲げ変形に対しては剛性が最も小さく、ねじれ変形に対してはある程度剛性が高く、面方向に沿う曲げ変形や剪断変形に対しては最も高い剛性を示す。可動部材３２が固定部材３１に対してミラー回転軸Ｒまわりに回動した場合には、このミラー回転軸Ｒの近傍部分、すなわちこのＳ字状バネ部５１の端部５１ｂの根元部、直線部５１ｃの中央部に生じる変形は面方向と直交する方向の単純な曲げ変形である。したがって、このＳ字状バネ部５１は、このミラー回転軸Ｒを中心として回動するように可動部材３２を支持し、このミラー回転軸Ｒまわりの回転に伴う弾性力は小さい。
【００６０】
一方、上記の可動部材３２がＹ軸方向、Ｚ軸方向、およびＸ軸まわりに傾くように移動する場合には、上記のＳ字状バネ部５１にその面方向の曲げ変形や剪断変形が生じる。このＳ字状バネ部５１は、このような面方向の曲げ変形や剪断変形に対しては前述のように剛性が高く、よってこれらの方向についての可動部材３２の支持剛性は高い。特に、Ｚ軸方向の移動、およびＸ軸まわりの傾動は、この可動部材３２に取付けられたミラー２１で反射された光の焦点のずれ、光軸の傾き等の光学的な誤差の原因となるが、これらの方向の支持剛性は上記のように高いので、このような光学的な誤差を効果的に排除することができる。
【００６１】
なお、この可動部材３２がＸ軸の方向に移動する場合、およびＺ軸まわりに傾動する場合には、上記のＳ字状バネ部５１の端部５１ｂおよび直線部５１ｃにねじれ変形が生じ、湾曲部５１ａの中央部に単純な曲げ変形が発生し、比較的剛性が低くなるが、これらの方向の移動は、ミラー２１がその反射面に平行な方向に移動するだけであり、実質的な反射面の変位は生じないので、光学的な誤差は発生しない。
【００６２】
さらに、上記のように可動部材３２が光学的な誤差の原因となるＺ軸方向への移動およびＸ軸まわりの傾動、すなわちＳ字状バネ５１の面方向の曲げ変形や剪断変形のが可能な限り小さくなるように、上記のＳ字状バネ部５１は以下のような形状に形成されている。図１０に示すように、このＳ字状バネ部５１は、その端部５１ｂおよび直線部５１ｃの幅Ｗ２，Ｗ３が狭く、湾曲部５１ａの幅Ｗ１が広くなるように設定されている。たとえばこの実施形態では、上記の端部５１ｂおよび直線部５１ｃの幅Ｗ２，Ｗ３はいずれも０．０８ｍｍ、湾曲部５１ａの幅Ｗ１は０．１６ｍｍに設定されている。
【００６３】
このＳ字状バネ部５１の面方向の曲げ変形や剪断変形の剛性を高くするには、このＳ字状バネ部５１の各部の幅を広くすればよい。しかし、この幅を一様に広くすると、この端部５１ｂや直線部５１ｃの部分の面方向と直交する方向の単純な曲げの剛性も高くなり、ミラー回転軸Ｒまわりの変形の剛性も高くなってしまう。しかし、上記のように湾曲部５１ａの部分の幅Ｗ１を広くすれば、端部５１ｂや直線部５１ｃの部分の面方向と直交する方向の単純な曲げ変形の剛性はほとんど変わらないが、この湾曲部５１ａの部分の面方向の曲げ変形や剪断変形の剛性は高くなり、このＳ字状バネ部５１全体の面方向における曲げ変形や剪断変形の剛性は高くなる。一方で、上記のミラー回転軸Ｒまわりの変形の際には、このミラー回転軸Ｒの近傍の端部５１ｂおよび直線部５１ｃが曲げ変形し、この軸Ｒから離れた位置にある湾曲部５１ａの部分の変形は少ない。したがって、この場合のミラー回転軸Ｒ回りの変形の剛性の増大はわずかである。
【００６４】
上記のＳ字状バネ部５１は、前述のようにミラー回転軸Ｒまわりに回転自在な支承をなす部材として作用するものであるから、その特性としては、この軸Ｒまわりの変形の際の剛性ＧＲに対して、それ以外の方向すなわち図５のＺ軸方向の変形の際の剛性ＧＺが大きいこと、すなわちＧＺ／ＧＲが大きい程好ましいものである。
【００６５】
次に、上記のような効果を確認するために行った試験の結果を説明する。この場合に、上記のＳ字状バネ部５１は、寸法が小さいものであるので、このＳ字状バネ部５１の各方向の剛性を直接測定するのは困難でかつ精度が低い。このような条件を考慮して、以下のような方法により上記のＧＺ／ＧＲの剛性の比を間接的に測定した。
【００６６】
まず、比較例として、バネの板厚が０．０３ｍｍ、Ｓ字状バネ部５１の全体が０．０８ｍｍの均一な幅のものと、上述のように端部５１ｂおよび直線部５１ｃの幅がいずれも０．０８ｍｍ、湾曲部５１ａの幅Ｗ１が０．１６ｍｍの実施形態のバネを試作し、これらを同じ固定部材３１や可動部材３２と一体化してバネアセンブリ３０を製造した。
【００６７】
そして、上記の可動部材３２の各方向の固有振動数を測定した。まず、均一な幅の比較例のものは、ミラー回転軸Ｒまわりの可動部材３２の固有振動数ｆＲと、この可動部材３２のＺ軸方向の固有振動数ｆＺを測定した結果、ｆＲ＝１２８Ｈｚ、ｆＺ＝７１８Ｈｚであった。一方、上記の実施形態のものについても同様に可動部材の固有振動数を測定した結果、ｆＲ＝１５９Ｈｚ、ｆＺ＝１４１４Ｈｚであった。そして、これらの比を算出した結果、均一な幅の参考例のものは、そのｆＺ／ｆＲが５．６であるのに対して、実施形態のものは、このｆＺ／ｆＲが８．９であった。そして、このＳ字状バネ部の剛性の比は、（ｆＺ／ｆＲ）２であるから、上記の参考例のものは、上記の（ｆＺ／ｆＲ）２すなわちミラー回転軸まわりの剛性とＺ軸方向の剛性の比ＧＺ／ＧＲが約３１であるのに対して、この実施形態のものは、ＧＺ／ＧＲが約７９であった。したがって、この実施形態のものは、このＧＺ／ＧＲが参考例の約２．６倍である。よって、この実施形態のものは、ミラー回転軸Ｒまわりの剛性をＧＲを参考例と等しく設定すれば、Ｚ軸方向の剛性ＧＺは２．６倍となる。つまり、たとえば共振や振動によって可動部分３２が移動する量、すなわちミラー２１で反射される光のずれは１／２．６となり、より高精度のガルバノミラーと安定したトラッキング特性が得られる。
【００６８】
また、上記の支持部材の形状として、上記のようなＳ字状バネ５１を用いている。ガルバノミラー２０の支持部材であるバネは、消費電力を小さくし、支持部材に発生する最大応力を小さくして支持部材の信頼性を向上させるために、そのバネの有効長は長い方が好ましい。しかし、支持部材ミラー回転軸Ｒ方向に長くすると、ガルバノミラー２０の寸法が非常に大きくなり、装置の小形化の障害となってしまう。そのために本実施形態では、支持部材であるバネをＳ字状とし、バネの両端の端部５１ｂ、５１ｂの間のバネ長を長くし、２つの端部５１ｂ，５１ｂの間の直線距離を短くしている。
【００６９】
さらに、本実施形態においては、端部５１ｂの固定部材３１への取付け、および端部５１ｂの可動部材３２への取付けをミラー回転軸Ｒ方向に対して垂直方向であるＺ方向に位置させた。そのため、支持部材であるＳ字状バネ５１の取付部を含めたミラー回転軸Ｒ方向の寸法を非常に小さく構成することができる。そのため、ガルバノミラー２０のミラー回転軸Ｒ方向の寸法を小さくし、消費電力を低減し、かつ支持部材に発生する最大応力を小さくして信頼性を向上させることができる。
【００７０】
また、上記のように可動部材３２はバネ３３，３４のＳ字状バネ部５１の変形により、ミラー回転軸Ｒまわりに回転自在に支承されており、このＳ字状バネ部５１はこのミラー回転軸Ｒまわりの変形に対して所定のバネ定数を有しているため、この可動部材３２はこのミラー回転軸Ｒまわりに振動する。そして、このような可動部材３２の振動を減衰するために、以下のような減衰機構が設けられている。
【００７１】
すなわち、図５ないし図６に示すように、上記の固定部材３１のアーム部４２，４３の先端部には、前記のバネ３３，３４のＳ字状バネ部５１の一方の端部５１ｂを囲むようにして上下１対ずつの突部７１，７２がそれぞれ突設されている。また、上記の可動部材３２のバネ取付部４４にも、それぞれ突部７３が突設されてこのバネ取付部４４がＵ字状に形成され、Ｓ字状バネ部５１の他方の端部５１ｂを囲むように構成されている。また、上記の突部７２と７３とにより、このＳ字状バネ部５１の直線部５１ｃを囲むように構成されている。
【００７２】
そして、これらの突部７１，７２の間に形成された凹部、および上記の突部７２，７３の間の間隙には、それぞれダンピング材７４，７５が充填されており、上記のＳ字状バネ部５１の端部５１ｂはこのダンピング材７４内に埋没され、またＳ字状バネ部５１の直線部５１ｃは上記のダンピング材７５内に埋没されている。これらのダンピング材７４，７５は、たとえば未硬化の熱硬化シリコーンゲル材をこれらの凹部および隙間内に所定量ずつ注入保持させた後に、このバネアセンブリ３０全体をオーブン内でたとえば７０°Ｃで３０分間加熱し、この未硬化のゲル材を硬化させて所定の粘性を有するシリコーンゲル材としたものである。
【００７３】
したがって、上記の可動部材３２がミラー回転軸Ｒまわりに回転した場合に、このＳ字状バネ部５１の端部５１ｂおよび直線部５１ｃがこれらのダンピング材７４，７５中で変形することにより、その粘性抵抗により所定の減衰力が発生し、この可動部材３２の振動を減衰する。
【００７４】
上記の未硬化のダンピング材７４，７５を注入保持させる際には、その表面張力により自由表面が最小となるような凝集力が働く。したがって、上記の未硬化のダンピング材７４の液塊は、一対の突部７１，７２の間に形成される凹部の奥部に保持され、Ｓ字状バネ部５１の端部５１ｂを中心部に埋没させた所定の位置に保持される。また、上記の未硬化のダンピング材７５の液塊も、突部７２，７３の間に保持されるとともに、Ｓ字状バネ部５１の直線部５１ｃをその中心に埋没させるように保持される。
【００７５】
上記の一対の突部７１，７２の互いに対向する２つの面の間に形成された間隙は上記のようにこのダンピング材７４を保持するダンピング材保持間隙Ｇとして形成されるものである。この場合、このダンピング材保持間隙Ｇは、固定部材３１に形成された一対の突部７１，７２の間に形成されているので、このダンピング材保持間隙Ｇは任意の形状とすることができる。したがって、たとえばこの実施形態のように、このダンピング保持間隙Ｇを奥壁部を有するＵ字状の凹部とすることができ、注入された未硬化のダンピング材をその表面張力により上記のように奥部に確実に保持させることができ、このダンピング材７４を正確な位置に確実に保持させることができる。なお、可動部材３２のバネ取付け部４４の突部７３で形成されたダンピング材保持間隙Ｇも同様である。
【００７６】
また、突部７２，７３の間にも、これらの対向する２つの面の間にダンピング材保持間隙Ｇが形成される。この場合には、可動部材３２の回転により、これらの２つの面が相対的に移動するとともに、Ｓ字状バネ部５１も変形するため、これらの両方に対してダンピング材７５が減衰力を与え、より大きな減衰力を得ることができる。
【００７７】
ただし、この突部７２，７３の互いに対向する面が平行な平面であると、このダンピング材７５の液塊が図６の左右方向すなわち図５のＺ方向に移動しても、上記の直線部５１ｃの断面形状はＺ軸方向に一定であるので、その自由表面は変化しない。このため、このダンピング材７５の液塊は、このＺ方向の任意の位置に移動可能となり、その保持位置が一定しない。このような不具合を防止するため、この実施形態では、これら突部７２，７３の互いに対向する面には、Ｘ軸方向に連続する断面山形の突条部７６がそれぞれ形成されており、これらの突条部７６が対向する部分では、このダンピング材保持間隙Ｇの幅が狭くなっており、狭隘部Ｎが形成されている。したがって、このダンピング材７５の液塊がＺ軸方向に移動すると、この液塊の両側の自由表面の面積に差が生じて表面張力に差が発生し、この液塊は両側の自由表面の表面張力が釣合う位置まで、すなわちこの断面山形の突条部７６に対してＺ軸方向に対称の位置まで移動し、この位置、すなわち狭隘部Ｎで安定して保持される。よって、このダンピング材７５を所定の位置に正確に保持させることができる。
【００７８】
なお、上記のダンピング材７４，７５としては、前記のような材料の他に、たとえば紫外線硬化シリコーンゲル、アクリルゲル、溶剤により液状になったブチルゴム、アクリルの粘着材など、その他の減衰特性のある任意の材料を使用することができる。
【００７９】
次に、上述したような構成のガルバノミラー２０を前記の固定部材すなわちキヤリッジ２のガルバノミラー収容部２８内に装着するとともに、その傾き等を調整して所定の位置に取付ける取付装置の作用を図１１および図１２を参照して説明する。
【００８０】
まず、前述のように、ガルバノミラー２０のベース２２の底面に形成されている球面状の支承面２４は、その中心軸線Ｓが前記のミラー回転軸Ｒと平行でかつミラー２１の反射面内に含まれている。また、この支承面２４の球面の中心点は、上記のミラー２１の反射面上の入射光の光軸の位置Ｏと一致している。また、上記のキヤリッジ２のガルバノミラー収容部２８の底部に形成されている円錐面状の支承座面２９は、その中心軸線Ｓ´が前記のミラー回転軸Ｒと平行でかつミラー２１の反射面内に含まれており、かつ上記のミラー２１の反射面上の入射光の光軸の位置Ｏを通過している。
【００８１】
そして、図１２に示すように、まずこのガルバノミラー２０を取付工具８０により保持する。この取付工具８０は、その下端部が倒立Ｕ字状をなし、その荷担部にはたとえば４本の位置決ピン８１が突設されている。また、この取付工具８０内には、図示しない電磁石が内蔵されている。
【００８２】
このような取付工具８０は、このガルバノミラー２０の上方からこれに近接して嵌合し、上記の電磁石を励磁することにより、このガルバノミラー２０を磁気的に吸着保持する。この場合に、上記の位置決ピン８１は、このガルバノミラー２０の永久磁石３９の後側に形成された隙間内と前側に挿入され、これらの位置決ピン８１によりこれら永久磁石３９の前後面が挟まれて保持される。これによって、このガルバノミラー２０はこの取付工具８０に対して所定の位置に位置決めして保持される。
【００８３】
次に、この取付工具８０に保持されたガルバノミラー２０を、ガルバノミラー収容部２８内にその上端開口部から挿入する。この挿入方向は、上記のミラー回転軸Ｒと平行な方向、すなわち支承面２４の中心軸線Ｓおよび支承座面２９の中心軸線Ｓ´と平行な方向である。このようにして挿入されたガルバノミラー２０は、図１１に示すようにその支承面２４が支承座面２９に着座して当接し、これらの中心軸線Ｓ，Ｓ´が一致する。
【００８４】
この状態で、このガルバノミラー２０を取付工具８０により下方に所定の押圧力たとえば１００ｇｆ程度の押圧力で押圧し、支承面２４と支承座面２９とを当接させた状態に維持し、これらを摺動させつつこのガルバノミラー２０の傾き、たとえば上記のミラー回転軸ＲまわりすなわちＹ軸まわり、および前記のＸ軸まわりに回動させ、光学系の光軸に対してミラー２１の反射面と平行なＺ軸まわりの傾きを調整する。なお、このような調整は、このガルバノミラー２０のミラー２１にレーザーダイオード１１からの光を入射し、キヤリッジ２の基準面に対する固定ミラー１ｂからの出射光の傾きをオートコリメータによって検出し、図示しない制御装置等により、上記の取付工具８０の傾きを自動的に制御して行われる。
【００８５】
そして、上記のような傾きの調整作業が終了したら、このガルバノミラー２０をその位置に保持し、このガルバノミラー２０とガルバノミラー収容部２８の内面との間、たとえばベース部材２２の前縁部および両側面部とガルバノミラー収容部２８の内面との間、または支承面２４と支承座面２９との間に接着剤Ａを注入して硬化させ、このガルバノミラー２０をキヤリッジ２に対して所定の取付位置に固定する。そして、この後に、上記の取付工具８０を上方に抜き去る。
【００８６】
なお、本発明は上記の第１の実施形態には限定されない。たとえば、上記の第１の実施形態では、２つのバネ３３，３４を使用し、これらを導電部材として兼用したが、たとえば可動部材３２に永久磁石を取り付け、コイルを固定部材３１側に設けたものでは、これらバネ３３，３４を導電部材として兼用する必要はない。したがって、図１３に示す第２の実施形態のように、これらのバネ３３，３４を一体に形成したバネ１３３を使用することができる。
【００８７】
この第２の実施形態のものは、両方のＳ字状バネ部５１が連続した固定側の補強部１５５および可動側の補強部１５６で一体に連結されたものである。そして、この補強部１５５は、上記の固定部材３１の梁部４１およびアーム部４２，４３の略中心面に沿って連続して一体に埋設されている。また、補強部１５６も可動部材３２内の略中心面に沿って連続して一体に埋設されている。このような実施形態のものは、固定部材３１および可動部材３２の剛性をより高め、その不所望な変形をより効果的に防止することができる。
【００８８】
なお、この実施形態のものは、上記の点以外は前記の第１の実施形態と同様の構成であり、図１３中第１の実施形態と対応する部分には同じ符号を付してその説明を省略する。
【００８９】
また、図１４および図１５には本発明の第３の実施形態を示し、このものは枠状の固定部材を備えたガルバノミラーのミラー支持装置である。図中の１０１は枠状の固定部材であって、たとえば合成樹脂材料で形成されている。そして、その中央部には可動部材収容部１０４が形成されている。そして、この可動部材収容部１０４内には合成樹脂材料からなる可動部材１０２が設けられ、この可動部材１０２にはたとえばミラー１０３が取付られている。
【００９０】
また、図中の１０５はこの可動部材１０２を支持するバネである。このバネ１０５はたとえばベリリウム銅等の金属材料の薄板材から一体に形成されたもので、枠状の固定側補強部１０６、可動側取付部１０７、およびこれらを連結するＳ字状バネ部１０８とから構成されている。そして、前述の第１の実施形態と同様に、上記のＳ字状バネ部１０８が変形することにより、この可動部材１０２が回転自在に支持される。
【００９１】
そして、上記のバネ１０５の固定側補強部１０６、および可動側取付部１０７は、それぞれ固定部材１０１、および可動部材１０２内に一体にモールドされている。上記のバネ１０５の固定側補強部１０６および可動側取付部１０７は、図１５に示すようにこれらの部材の中心面、すなわちこの場合のようにこれらを合成樹脂材料で形成する場合には、その金型の衝合面に沿って配置されている。
【００９２】
なお、これら固定側補強部１０６および可動側取付部１０７の一部の縁部１０９，１１０は、これら固定部材１０１および可動部材１０２の側面から突出しており、これらを射出成型する際に、これらの縁部１０９，１１０は金型の衝合面の間に挟圧固定され、これら固定側補強部１０６および可動側取付部１０７が金型内でずれるのを防止する。また、これら固定側補強部１０６および可動側取付部１０７には、適宜の間隔で透孔１１１，１１２が形成され、これらの透孔１１１，１１２内に樹脂材料が充填され、これら固定側補強部１０６および可動側取付部１０７の両側の部分を連結している。
【００９３】
このような実施形態のものは、固定部材１０１および固定側補強部１０６が枠状をなしており、これら自体が剛性および強度の高い形状をなしているので、より剛性が高く、また精度も高い。
【００９４】
また、図１６には本発明の第４の実施形態を示す。このものは、固定部材および可動部材をそれぞれ２つの部分から構成し、これらの間にバネの固定側補強部および可動側取付部を挟圧して一体化したものである。
【００９５】
すなわち、上記の枠状の固定部材１０１および可動部材１０２は、その中心面で分割されたそれぞれ２つの固定部材半部１０１ａ、１０１ｂ、可動部材半部１０２ａ，１０２ｂから形成されている。また、これらの間には、バネ１８５の枠状の固定側補強部１８６および可動側取付部１８７は、これらの固定部材１０１と可動部材１０２と同一の形状、寸法をなしている。
【００９６】
そして、このバネ１８５の固定側補強部１８６および可動側取付部１８７はこの固定部材１０１の固定部材半部１０１ａ，１０１ｂ、可動部材１０２の可動部材半部１０２ａ，１０２ｂの衝合面の間、すなわち固定部材１０１と可動部材１０２の中心面に介在されている。そして、螺子１９０，１９２およびナット１９１等によりこれらを締め付け、バネ１８５はこれらの半部の間で挟圧されて固定されている。
【００９７】
この実施形態のものは、固定部材１０１および可動部材１０２はそれぞれ別体の半部から形成され、バネ１８５はこれらの間に挟圧されて機械的に固定されるものであるから、これら固定部材１０１や可動部材１０２の材料に制約がなく、これらをセラミック、金属、その他の任意の材料で形成することができる。また、これら半部を切削等により精密に加工することもでき、精度をさらに向上させることができる。
【００９８】
なお、本発明は上記の実施形態には限定されない。たとえば、バネの可動側取付部と可動部材との取付構造は必ずしも上記の実施形態のものには限定されず、任意の取付構造でもよい。また、たとえば固定部材、可動部材、バネ等の形状は必ずしも上記の形状には限定されない。
【００９９】
さらに、本発明は上記のようなガルバノミラーのミラーを支持する装置には限らず、その他の任意の光学素子または光学要素を移動または回動自在に支持する装置に適用可能であることはもちろんである。
【０１００】
【発明の効果】
上述の如く本発明は、固定部材または可動部材と一体化されたバネの固定側補強部または可動側補強部により、この固定部材または可動部材が補強されてその剛性が大きくなり、温度変化による熱膨張、取付の際の外力、その他による不所望な変形が小さくなり、バネの支持精度や支持特性が向上する。また、この固定側補強部または可動側補強部は、固定部材または可動部材の略中心面に沿って配置されて一体化されているので、この固定部材または可動部材がこの中心面に対して対称の構造となる。よって、温度変化や外力による変形も対称な変形となり、この変形の対称の中心に固定側補強部または可動側補強部が配置されているので、この固定側補強部または可動側補強部自体の変形が極めて小さくなり、より高い精度が得られる。
【図面の簡単な説明】
【図１】本発明の第１の実施形態の光ピックアップ装置の構成を示す概略的な斜視図。
【図２】第１の実施形態のガルバノミラーを前方から見た斜視図。
【図３】第１の実施形態のガルバノミラーを後方から見た斜視図。
【図４】第１の実施形態のガルバノミラーの分解斜視図。
【図５】第１の実施形態のガルバノミラーのバネアセンブリの斜視図。
【図６】第１の実施形態のガルバノミラーのバネアセンブリの概略的な側面図。
【図７】第１の実施形態のバネのブランク材の平面図。
【図８】図６の８−８線に沿う断面図。
【図９】図６の９−９線に沿う断面図。
【図１０】バネのＳ字状バネ部の概略的な側面図。
【図１１】ガルバノミラー収容部とその内部に収容されたガルバノミラーの縦断面図。
【図１２】ガルバノミラーの取付状態を示す分解斜視図。
【図１３】第２の実施形態の支持装置の側面図。
【図１４】第３の実施形態の支持装置の側面図。
【図１５】図１４の１５−１５線に沿う断面図。
【図１６】第４の実施形態の図１５に相当する断面図。
【図１７】従来の支持装置の側面図。
【図１８】図１７の１８−１８線に沿う断面図。
【符号の説明】
２  キヤリッジ
２０  ガルバノミラー
２１  ミラー
３０  バネアセンブリ
３１  固定部材
３２  可動部材
３３，３４  バネ
５１  Ｓ字状バネ部
５２  端子部（可動側取付部）
５４，５５  導電補強部（固定側補強部）
【図１】
0004112060.tif 000002
【図２】
0004112060.tif 000003
【図３】
0004112060.tif 000004
【図４】
0004112060.tif 000005
【図５】
0004112060.tif 000006
【図６】
0004112060.tif 000007
【図７】
0004112060.tif 000008
【図８】
0004112060.tif 000009
【図９】
0004112060.tif 000010
【図１０】
0004112060.tif 000011
【図１１】
0004112060.tif 000012
【図１２】
0004112060.tif 000013
【図１３】
0004112060.tif 000014
【図１４】
0004112060.tif 000015
【図１５】
0004112060.tif 000016
【図１６】
0004112060.tif 000017
【図１７】
0004112060.tif 000018
【図１８】
0004112060.tif 000019